(57)【特許請求の範囲】
【請求項１】
第１波長の第１レーザ光に対応し、視認可能な表示パターンを表示可能であって、情報の読出しが可能な第１ピットが形成される第１記録層と、
第２波長の第２レーザ光に対応し、第２ピットが形成されることによって第２情報を記録可能な第２記録層と
を少なくとも備え、
前記第１記録層においては、前記第１ピットの他部が形成されることで、前記表示パターンに、電子透かしに基づく独自情報を重畳可能であり、
前記第１記録層においては、形成される前記第１ピットの他部の長さに基づく、第１レーザ光を反射させる割合を示した光反射率の変化によって、前記独自情報を重畳可能であることを特徴とする情報記録媒体。
【請求項２】
前記第１記録層においては、螺旋状又は同心円状のトラックに沿って、意味を保持しないダミーデータが記録され、前記第１ピットの一部が形成されることで、前記表示パターンを表示可能であり、
隣接する前記トラックの間には、前記第１ピットの他部が形成されることで、意味を保持する第１情報を記録可能であることを特徴とする請求項１に記載の情報記録媒体。
【請求項３】
前記第１記録層においては、螺旋状又は同心円状のトラックに沿って、意味を保持しないダミーデータが記録され、前記第１ピットの一部が形成されることで、前記表示パターンを表示可能であり、
前記トラックに沿って記録される前記ダミーデータの間には、前記第１ピットの他部が形成されることで、意味を保持する第１情報を記録可能であることを特徴とする請求項１に記載の情報記録媒体。
【請求項４】
前記第１記録層においては、形成される前記第１ピットの他部の位置を検出するための、基準線が特定可能であることを特徴とする請求項１に記載の情報記録媒体。
【請求項５】
前記第１記録層、及び前記第２記録層は、円盤の形状をしており、
前記基準線は、前記円盤の中心を通ることを特徴とする請求項１に記載の情報記録媒体。
【請求項６】
第１波長の第１レーザ光に対応して、所定深さの第１ピットが形成されることで、視認可能な表示パターンを表示可能であり且つ、情報の読出しが可能な第１記録層と、
第２波長の第２レーザ光に対応した、第２ピットが形成されることによって第２情報を記録可能な第２記録層と
を少なくとも備え、
前記第１記録層においては、前記第１ピットの他部が形成されることで、前記表示パターンに、電子透かしに基づく独自情報を重畳可能であり、
前記第１記録層においては、形成される前記第１ピットの他部の長さに基づく、第１レーザ光を反射させる割合を示した光反射率の変化によって、前記独自情報を重畳可能であることを特徴とする情報記録媒体。
【請求項７】
前記第１記録層においては、前記第１ピットとして、（ｉ）前記第１波長に対する一の倍数の深さを保持する一のピット、及び（ｉｉ）前記波長に対する他の倍数の深さを保持する他のピットが形成されることで、前記表示パターンを表示可能であることを特徴とする請求項６に記載の情報記録媒体。
【請求項８】
前記第２記録層は、前記第２レーザ光を全反射する全反射層を有することを特徴とする請求項１に記載の情報記録媒体。
【請求項９】
前記第２記録層は、前記第２レーザ光を全反射する全反射層を有することを特徴とする請求項６に記載の情報記録媒体。
【請求項１０】
前記第２記録層は、前記第２レーザ光を反射させる割合を示した光反射率が、前記第１レーザ光に対する光反射率と比較して異なる波長選択層を有することを特徴とする請求項１に記載の情報記録媒体。
【請求項１１】
前記第２記録層は、前記第２レーザ光を反射させる割合を示した光反射率が、前記第１レーザ光に対する光反射率と比較して異なる波長選択層を有することを特徴とする請求項６に記載の情報記録媒体。
【請求項１２】
前記第２記録層は、前記第２情報を夫々記録可能な複数の記録層を有することを特徴とする請求項１に記載の情報記録媒体。
【請求項１３】
前記第２記録層は、前記第２情報を夫々記録可能な複数の記録層を有することを特徴とする請求項６に記載の情報記録媒体。
【請求項１４】
前記第２記録層は、前記第２情報を夫々記録可能な複数の記録層を有し、
複数の前記記録層は、積層されている、又は貼り合わせられていることを特徴とする請求項１に記載の情報記録媒体。
【請求項１５】
前記第２記録層は、前記第２情報を夫々記録可能な複数の記録層を有し、
複数の前記記録層は、積層されている、又は貼り合わせられていることを特徴とする請求項６に記載の情報記録媒体。
【請求項１６】
記録層を保持しないダミー基板と
を更に備えることを特徴とする請求項１に記載の情報記録媒体。
【請求項１７】
記録層を保持しないダミー基板と
を更に備えることを特徴とする請求項６に記載の情報記録媒体。
【発明の詳細な説明】
【技術分野】
【０００１】
本発明は、例えば２層型の光ディスク等の多層型の情報記録媒体の技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、特許文献１、２等に記載されているように、同一基板上に複数の記録層が積層されてなる多層型若しくはダブルレイヤ又はマルチプルレイヤ型の光ディスク等も開発されている。より具体的には、２層型の光ディスクは、１層目として、情報記録装置で記録される際のレーザ光の照射側から見て最も手前側（即ち、光ピックアップに近い側）に位置する第１記録層を有しており、更にその奥側（即ち、光ピックアップから遠い側）に位置する半透過反射膜を有する。２層目として、該半透過反射膜の奥側に接着層等の中間層を介して位置する第２記録層を有しており、更にその奥側に位置する反射膜を有する。そして、このような２層型の光ディスクを記録する、ＣＤレコーダ等の情報記録装置では、第１記録層に対して記録用のレーザ光を集光することで、第１記録層に対して情報を加熱等による非可逆変化記録方式や書換え可能方式で記録し、第２記録層に対して該レーザ光を集光することで、第２記録層に対して情報を加熱等による非可逆変化記録方式や書換え可能方式で記録することになる。【０００３】
特に、特許文献３等に掲載されているように、２つの異なる波長を保持するレーザ光が一の信号面に照射されることによって夫々記録可能な記録層を備えた２層型光ディスクにおいて、相対的に短い一の波長のレーザ光に対する反射率は相対的に高く、相対的に長い他の波長のレーザ光に対する反射率は相対的に低いという、所謂、波長選択性を保持する中間層（以下、適宜「波長選択層」と称す）を２層間に挿入させる手法が提案されている。従って、一の波長のレーザ光を射出する再生装置でも、他の波長のレーザ光を射出する再生装置でも、当該記録媒体を再生できるので、再生互換性を維持することが可能となる。【０００４】
また、非特許文献１等に掲載されているように、（ｉ）光ディスクの一の信号面に照射される、一の波長を保持するレーザ光によって記録可能な一の記録層、及び（ｉｉ）光ディスクの他の信号面に照射される、他の波長を保持するレーザ光によって記録可能な他の記録層を備えた２層型光ディスク等の記録媒体も考案されている。【０００５】
他方、特許文献６等に掲載されているように、例えばレーベル面において、ダミーピットが螺旋状のトラックに沿って形成されることにより、例えば画像や文字等の視認可能な表示パターン、所謂、ピットアートを表示可能な光ディスクについて考案されている。【０００６】
【特許文献１】特開２０００−３１１３４６号公報
【特許文献２】特開２００１−２３２３７号公報
【特許文献３】特開平９−２３７４３８号公報
【特許文献４】特開２００４−９５０９２号公報
【特許文献５】特開２００３−９１８６８号公報
【特許文献６】特開平１０−２８３６７６号公報
【非特許文献１】[online]「Blu-rayDiscとＣＤの一体化ディスクが登場」、インターネット＜URL：http://nikkeibp.jp/wcs/leaf/CID/onair/jp/elec/337888＞
【発明の開示】
【発明が解決しようとする課題】
【０００７】
しかしながら、上述した複数の記録層を有する多層型の光ディスクにおいて、表示パターン（ピットアート）を表示させるために、ダミーピットを形成させても、このダミーピットに、例えば画像等の表示パターンを表示させる機能と平行して、各種の情報を記録することは殆ど又は完全にできないという技術的な問題点を有している。具体的には、光ディスクにおいて表示可能な表示パターンに関する著作権保護を実現するための独自情報を記録することができないという技術的な問題点を有している。【０００８】
本発明は、例えば上述した従来の問題点に鑑みなされたものであり、例えば複数の記録層を有する光ディスクにおいて、表示パターンを表示可能であると共に、表示パターンに関する各種の独自情報を記録可能な情報記録媒体を提供することを課題とする。
【課題を解決するための手段】
【０００９】
（情報記録媒体）
以下、本発明の情報記録媒体について説明する。【００１０】
上記課題を解決するために、本発明の第１情報記録媒体は、第１波長の第１レーザ光（赤）に対応し、視認可能な表示パターン（画像用データ：ピットアート）を表示可能であって、情報の読出しが可能な第１ピット（各種情報を各種方法で保持可能）が形成される第１記録層（CD）と、第２波長の第２レーザ光（青）に対応し、第２ピットが形成されることによって第２情報を記録可能な第２記録層（BD）とを少なくとも備える。【００１１】
本発明の第１情報記録媒体によれば、第１記録層において、第１レーザ光に対応した、情報を保持可能な第１ピットが形成されることで、視認可能な表示パターンを表示可能である。ここに、本願発明に係る「第１ピット」とは、例えば可視光、赤外光、赤色ＬＤ（Laser Diode）光、又はブルーレイ（Blu-ray）等の第１レーザ光の照射によって、当該第１レーザ光における、例えば波長等の物理的な特性や、例えばＣＤ（Compact Disc）方式に準拠したレーザ光の特性に対応して、（ｉ）視認可能な表示パターンを表示可能であるピットであるとことに加えて、又は、代えて、（ｉｉ）例えば当該表示パターンに関する著作権保護のためのコピー制御情報等の独自情報を保持することが可能であるピットである。他方、第２記録層においては、例えば、に対応した、第２ピットが形成されることによって、例えばＤＶＤビデオコンテンツ等の第２情報を記録可能である。【００１２】
この結果、例えば、異なる波長を保持する複数のレーザ光によって夫々記録可能な記録層を備える多層型光ディスク等の情報記録媒体において、視認可能な表示パターンを表示可能であると共に、例えば著作権保護のための暗号化情報等の各種の情報を記録可能である。【００１３】
本発明の第１情報記録媒体の一の態様では、前記第１記録層においては、螺旋状又は同心円状のトラックに沿って（PushPull信号の取得によりトラッキングサーボが可能）、意味を保持しないダミーデータが記録され、前記第１ピットの一部（ダミーピット）が形成されることで、前記表示パターンを表示可能であり、隣接する前記トラックの間には、前記第１ピットの他部（情報ピット）が形成されることで、意味を保持する第１情報を記録可能である。【００１４】
この態様によれば、隣接するトラックの間に形成された第１ピットの他部によって、例えば著作権保護のための暗号化情報等の意味を保持する第１情報をより的確に記録可能である。ここに、本願発明に係る「意味を保持する第１情報」とは、例えば「Ｎｕｌｌ」や「ゼロ」等の記録済みの状態を形成したり、記録層の表面における光学的な特性を変化させたりするためのダミーデータとは対照的に、記録又は再生時において、例えば暗号化情報等の識別可能な一義的な内容を保持する情報である。具体的には、この第１情報は、例えば表示パターンの著作権保護のためのＣＣＩ（Copy Control Information）であるようにしてもよいし、或いは、例えば暗号化された第２情報を復号化するための復号化情報であるようにしてもよい。【００１５】
本発明の第１情報記録媒体の他の態様では、前記第１記録層においては、螺旋状又は同心円状のトラックに沿って（PushPull信号の取得によりトラッキングサーボが可能）、意味を保持しないダミーデータが記録され、前記第１ピットの一部（ダミーピット）が形成されることで、前記表示パターンを表示可能であり、前記トラックに沿って記録される前記ダミーデータの間には、前記第１ピットの他部（情報ピット）が形成されることで、意味を保持する第１情報を記録可能である。【００１６】
この態様によれば、トラックに沿って記録される前記ダミーデータの間に形成された第１ピットの他部によって、例えば著作権保護のための暗号化情報等の意味を保持する第１情報をより的確に記録可能である。【００１７】
本発明の第１情報記録媒体の他の態様では、前記第１記録層においては、前記第１ピットの他部（情報ピット）が形成されることで、前記表示パターンに、電子透かしに基づく独自情報（ＣＣＩ、暗号化復号化キー）を重畳可能である。【００１８】
この態様によれば、形成された第１ピットの他部によって、例えば著作権保護のための暗号化情報等の独自情報を記録可能である。加えて、当該情報記録媒体において、著作権保護を強固に実現することも可能となる。【００１９】
上述した第１記録層に係る態様では、前記第１記録層においては、形成される前記第１ピットの他部（情報ピット）の長さに基づく、第１レーザ光を反射させる割合を示した光反射率の変化によって、前記独自情報を重畳可能であるように構成してもよい。【００２０】
このように構成すれば、形成された第１ピットの他部の長さに基づく、第１レーザ光を反射させる割合を示した光反射率の変化によって、例えば著作権保護のための暗号化情報等の独自情報を記録可能である。【００２１】
更に、上述した第１記録層に係る態様では、前記第１記録層においては、形成される前記第１ピットの他部（情報ピット）の位置を検出するための、基準線が特定可能であるように構成してもよい。【００２２】
このように構成すれば、例えば情報記録再生装置等によって特定された基準線に基づいて、形成された第１ピットの他部（情報ピット）の位置をより適切に検出することが可能である。従って、第１ピットの他部（情報ピット）が保持する情報をより的確且つ迅速に読み出すことが可能となる。【００２３】
更に、上述した第１記録層に係る態様では、前記第１記録層、及び前記第２記録層は、円盤の形状をしており、前記基準線は、前記円盤の中心を通るように構成してもよい。【００２４】
このように構成すれば、例えば情報記録再生装置等による、ディスク形状の情報記録媒体のローディングの動作の最中に、簡便且つ迅速に基準線を特定することが可能である。【００２５】
上記課題を解決するために、本発明の第２情報記録媒体は、第１波長の第１レーザ光（可視光や赤外光）に対応して、深さ（高さ）を変更可能な第１ピットが形成されることで、視認可能な表示パターン（バーコード）を表示可能な第１記録層（CD）と、第２波長の第２レーザ光（青）に対応した、第２ピットが形成されることによって第２情報を記録可能な第２記録層（BD）とを少なくとも備える。【００２６】
本発明の第２情報記録媒体によれば、第１情報記録媒体と概ね同様の構成をしている。第２情報記録媒体では、特に、第１記録層において、第１波長の第１レーザ光に対応して、深さ（高さ）を変更可能な第１ピットが形成されることで、視認可能な表示パターンを表示可能である。【００２７】
この結果、例えば可視光や赤外光等のレーザ光によって夫々照射可能な記録層を備える多層型光ディスク等の情報記録媒体において、視認可能な表示パターンを表示可能であると共に、例えばバーコード等の各種情報を識別可能である。【００２８】
本発明の第２情報記録媒体の一の態様では、前記第１記録層においては、前記第１ピットとして、（ｉ）前記第１波長に対する一の倍数（「1/2」倍）の深さ（高さ）を保持する一のピット、及び（ｉｉ）前記第１波長に対する他の倍数（「1/4」倍）の深さ（高さ）を保持する他のピットが形成されることで、前記表示パターンを表示可能である。【００２９】
この態様によれば、第１ピットとして、（ｉ）第１波長に対して例えば「1/2」倍の深さ（高さ）を保持する一のピット、及び（ｉｉ）第１波長に対して「1/4」倍の深さ（高さ）を保持する他のピットに基づいて、異なった種類の波長を保持する複数のレーザ光に夫々対応して、表示可能な表示パターンを異ならせることが可能となる。【００３０】
本発明の第１又は第２情報記録媒体の他の態様では、前記第２記録層は、前記第２レーザ光を全反射する全反射層を有する。【００３１】
この態様によれば、第２レーザ光と異なった信号面から照射された第１レーザ光によって、表示パターン（ピットアート）を表示可能である。【００３２】
本発明の第１又は第２情報記録媒体の他の態様では、前記第２記録層は、前記第２レーザ光を反射させる割合を示した光反射率が、前記第１レーザ光に対する光反射率と比較して異なる波長選択層を有する。【００３３】
この態様によれば、第２レーザ光と同じ信号面から照射された第１レーザ光によって、表示パターン（ピットアート）を表示可能である。【００３４】
本発明の第１又は第２情報記録媒体の他の態様では、前記第２記録層は、前記第２レーザ光を反射する反射層を、少なくとも有し、当該第２記録層の厚さは変更可能である。【００３５】
この態様によれば、第２記録層の厚みによって決定される各種の光学特性を保持する第１レーザ光によって、表示パターン（ピットアート）をより適切に表示可能である。【００３６】
本発明の第１又は第２情報記録媒体の他の態様では、前記第２記録層は、前記第２情報を夫々記録可能な複数の記録層を有する。【００３７】
この態様によれば、第２記録層において、例えばＤＶＤビデオコンテンツ等の大容量且つ高品質な第２情報を記録可能である。【００３８】
本発明の第１又は第２情報記録媒体の他の態様では、前記第２記録層は、前記第２情報を夫々記録可能な複数の記録層を有し、複数の前記記録層は、積層されている、又は貼り合わせられている。【００３９】
この態様によれば、貼り合わされた第２記録層の特性によって決定される各種の光学特性を保持する第１レーザ光によって、表示パターン（ピットアート）をより適切に表示可能である。【００４０】
本発明の第１又は第２情報記録媒体の他の態様では、記録層を保持しないダミー基板とを更に備える。【００４１】
この態様によれば、ダミー基板の特性によって決定される各種の光学特性を保持する第１レーザ光によって、表示パターン（ピットアート）をより適切に表示可能である。【００４２】
本発明のこのような作用及び他の利得は次に説明する実施例から明らかにされる。【００４３】
以上説明したように、本発明の情報記録媒体によれば、第１ピットが形成された第１記録層と、第２ピットが形成された第２記録層とを備えて構成されている。
よって、例えば、異なる波長を保持する複数のレーザ光によって夫々記録可能な記録層を備える多層型光ディスク等の情報記録媒体において、視認可能な表示パターンを表示可能であると共に、例えば著作権保護のための暗号化情報等の各種の情報を記録可能である。
【図面の簡単な説明】
【００４４】
【図１】本発明の情報記録媒体の第１実施例に係る光ディスク１００の基本構成を示した概略平面図（図１（ａ））、及び、当該概略平面図に対応した切断面「Ｘ」における該光ディスクの概略断面図（図１（ｂ））である。
【図２】図１（ｂ）に対応したピットアートを表示可能な光ディスクの概略断面図である。
【図３】図１（ａ）に対応したピットアートを表示可能な光ディスクの概略平面図である。
【図４】本発明の情報記録媒体の第１実施例に係る電子透かしが施されたピットアートを表示可能な光ディスクの概略平面図である。
【図５】本発明に係る第１ピットの詳細な物理的な構造の一の例を示した平面図（図５（ａ））、及び、本発明に係る第１ピットから読み取れるプッシュプル信号等である。
【図６】本発明に係る第１ピットの詳細な物理的な構造の他の例を示した平面図である。
【図７】本発明の情報記録媒体の第１実施例の第１変形例に係る電子透かしが施されたピットアートを表示可能な光ディスクの概略平面図である。
【図８】本発明の情報記録媒体の第１実施例の第２変形例に係るピットアートを表示可能な光ディスクの可視光（白色光）に対する概略平面図（図８（ａ））、及び、赤外光（所定の波長「λ」を保持する光）に対する概略平面図（図８（ｂ））である。
【図９】本発明の情報記録媒体の第１実施例の第２変形例に係る２種類の第１ピットの光学的な原理を図式的に示した模式図（図９（ａ）及び図９（ｂ））である。
【図１０】本発明の情報記録媒体の第１実施例の第２変形例に係るピットアートの可視光（白色光）に対する模式図（図１０（ａ））、及び、赤外光（所定の波長「λ」を保持する光）に対する模式図（図１０（ｂ））である。
【図１１】本発明の情報記録媒体の第１実施例の第３変形例に係るピットアートの可視光（白色光）に対する模式図（図１１（ａ））、及び、赤外光（所定の波長「λ」を保持する光）に対する模式図（図１１（ｂ））である。
【図１２】本発明の情報記録媒体の第２実施例に係るピットアートを表示可能な光ディスクの概略断面図である。
【図１３】本発明の情報記録媒体の第２実施例を構成する波長選択層における、波長をパラメータとした、光を反射する割合である光反射率を示したグラフである。
【図１４】本発明の情報記録媒体の第３実施例に係るピットアートを表示可能な光ディスクの概略断面図である。
【図１５】本発明の情報記録媒体の第４実施例に係るピットアートを表示可能な光ディスクの概略断面図である。
【図１６】本発明の情報記録媒体の第５実施例に係るピットアートを表示可能な光ディスクの概略断面図である。
【図１７】本発明の情報記録媒体の第６実施例に係るピットアートを表示可能な光ディスクの概略断面図である。
【符号の説明】
【００４５】
１０    センターホール
１００  光ディスク
１０１  第１記録層
１０２  第２記録層
【発明を実施するための最良の形態】
【００４６】
以下、本発明を実施するための最良の形態について実施例毎に順に図面に基づいて説明する。【００４７】
（１）情報記録媒体の第１実施例
図１から図１１を参照して本発明の情報記録媒体に係る第１実施例、及び各種変形例について説明を進める。【００４８】
（１−１）基本構成
先ず、図１から図３を参照して、本発明の情報記録媒体の第１実施例に係る光ディスクの基本構成の概略について説明する。ここに、図１は、本発明の情報記録媒体の第１実施例に係る光ディスク１００の基本構成を示した概略平面図（図１（ａ））、及び、当該概略平面図に対応した切断面「Ｘ」における該光ディスクの概略断面図（図１（ｂ））である。図２は、図１（ｂ）に対応したピットアートを表示可能な光ディスクの概略断面図である。図３は、図１（ａ）に対応したピットアートを表示可能な光ディスクの概略平面図である。【００４９】
図１（ａ）に示すように、光ディスク１００は、例えばＤＶＤと同じくセンターホール１０を有する直径１２ｃｍ程度の円盤形状を有している。但し、この形状や大きさはこれに限定されるものではなく、様々な大きさ及び様々な形状を採用しても良いことは言うまでもない。【００５０】
図１（ｂ）及び図２に示すように、光ディスク１００は、例えば２層型等の記録層が複数積層された多層型の記録媒体である。この光ディスク１００は、例えばＣＤ用の第１レーザ光が照射される側（図１（ｂ）中の上側）から見て、ポリカーボネート層、例えばＣＤ等の、全反射層を第１レーザ光から見て奥側に有する第１記録層１０１、中間層、例えばブルーレイディスク（Blu-ray Disk：ＢＤ）等の、全反射層を第２レーザ光から見て奥側に有する第２記録層１０２、及びポリカーボネート層を備えて構成されている。具体的には、第１記録層は、第１レーザ光によって記録マークを形成可能な記録感度を保持する記録層である。ここに、本実施例に係る第１レーザ光とは、例えば可視光、赤外光、赤色ＬＤ（Laser Diode）光等の、一の波長等の所定の物理的又は光学的な特性を保持するレーザ光である。【００５１】
第２記録層は、第２レーザ光によって記録マークを形成可能な記録感度を保持する記録層である。ここに、本実施例に係る第２レーザ光とは、例えば波長が４０５ｎｍであるブルーレイ（Blue-ray）等の相対的に短い波長のレーザ光である。【００５２】
中間層（全反射層）は、一の波長のレーザ光に対する反射率は相対的に高いと共に、他の波長のレーザ光に対する反射率も相対的に高いという特性を保持する層である。従って、図１（ｂ）中の上側から照射されるＣＤ用の第１レーザ光は、第２記録層に到達できないので、影響を及ぼさない。同様にして、図１（ｂ）中の下側から照射されるＢＤ用の第２レーザ光は、第１記録層に到達できないので、影響を及ぼさない。尚、表示パターンを表示するための第１レーザ光は、ＣＤフォーマットに準拠したレーザ光でなくてもよいので、表示パターンの表示に関しては、中間層はないように構成されていてもよい。【００５３】
ポリカーボネート層は、例えば０．６ｍｍの厚さを夫々有すように構成してもよい。【００５４】
より具体的には、図２、及び図３に示されるように、例えば第１レーザ光が第１記録層に照射されることによって、当該第１レーザ光に対応した第１ピットによって形成された、例えば「Ｐｉｏｎｅｅｒ」等の表示パターン（ピットアート）を視認可能である。尚、この表示パターンは、例えば「Ｎｕｌｌ」等の意味を保持しないダミーデータが記録され、第１ピットの一部、所謂、ダミーピットが形成されることで、表示可能であるようにしてもよい。他方、第２記録層においては、例えば、第２レーザ光が照射されることによって、例えばＤＶＤビデオコンテンツ等の第２情報を、例えば第２ピットが形成されることで記録可能であってもよいし、又は、記録トラックに沿って記録可能であってもよい。【００５５】
（１−２）第１ピットの具体的な構成
次に図４を参照して、表示パターン（ピットアート）を表示可能にさせる第１ピットの具体的な構成について説明する。ここに、図４は、本発明の情報記録媒体の第１実施例に係る電子透かしが施されたピットアートを表示可能な光ディスクの概略平面図である。【００５６】
特に、本実施例に係る光ディスク１００においては、図４に示されるように、表示パターンには、例えば電子透かしに基づく独自情報が重畳されている。具体的には、第１レーザ光に対応した第１ピットの他部、所謂、情報ピットが形成されることで、独自情報を重畳可能であるようにしてもよい。尚、この独自情報の具体例としては、例えば表示パターンに関する著作権保護のためのコピー制御情報、所謂、ＣＣＩ（Copy Control Information）等を挙げることができる。【００５７】
（１−２−１）第１ピットの構成の一具体例
ここで、図５を参照して、第１ピットの詳細な物理的な構造の一例について説明する。
ここに、図５は、本発明に係る第１ピットの詳細な物理的な構造の一の例を示した平面図（図５（ａ））、及び、本発明に係る第１ピットから読み取れるプッシュプル信号等である。【００５８】
図５（ａ）に示されるように、例えば画像等の表示パターンを表示するために、第１記録層の螺旋状又は同心円状のトラックに沿って、意味を保持しないダミーデータが記録され、第１ピットの一部（ダミーピット）が形成される。そして、隣接するトラックの間には、第１ピットの他部（情報ピット）が形成されることで、独自情報を記録可能（重畳可能）である。【００５９】
従って、図５（ｂ）に示されるように、第１記録層のトラックに沿って形成された第１ピットの一部（ダミーピット）から、プッシュプル信号（PushPull信号）が読み取られ、トラッキングサーボが可能である。と同時に、第１記録層のトラックに沿って形成された第１ピットの他部（情報ピット）から、独自情報を読み取ることが可能である。詳細には、図５（ａ）及び図５（ｂ）中の「Ａ領域」に示されるように、ダミーピットを挟んだ、２つの情報ピットによって、例えば「１」を保持する独自情報が読み取れるようにしてもよい。また、「Ｂ領域」に示されるように、ダミーピットの一方側にある、１つの情報ピットによって、例えば「０」を保持する独自情報が読み取れるようにしてもよい。【００６０】
（１−２−２）第１ピットの構成の他の具体例
次に、図６を参照して、第１ピットの詳細な物理的な構造の他の例について説明する。
ここに、図６は、本発明に係る第１ピットの詳細な物理的な構造の他の例を示した平面図である。【００６１】
図６に示されるように、例えば画像等の表示パターンを表示するために、第１記録層の螺旋状又は同心円状のトラックに沿って、意味を保持しないダミーデータが記録され、第１ピットの一部（ダミーピット）が形成される。そして、一のダミーピットに隣接する領域においては、第１記録層のトラックに沿って、読み取る方向（図６中の矢印参照）に、（ｉ）情報ピットを読み取るに際して同期をとるための同期ピット、（ｉｉ）第１ピットの他部（情報ピット）、及び（ｉｉｉ）読み取られた再生ＲＦ信号の直流成分を補正するためのＤＣ補正ピットが形成される。従って、情報ピットを介して、独自情報を記録可能（重畳可能）である。尚、一のダミーピットと、他のダミーピットとの間には、例えばプッシュプル信号を読み取るためのガイドピットが形成されるようにしてもよい。【００６２】
（１−３）第１変形例
次に図７を参照して、表示パターン（ピットアート）を表示可能にさせる第１ピットの構成の第１変形例について説明する。ここに、図７は、本発明の情報記録媒体の第１実施例の第１変形例に係る電子透かしが施されたピットアートを表示可能な光ディスクの概略平面図である。【００６３】
特に、第１変形例に係る光ディスク１００においては、図７に示されるように、表示パターンに、例えば電子透かしに基づく独自情報を重畳するために形成される、第１ピットの他部（情報ピット）の位置を検出するための、基準線、即ち、「ａ点」と「ｂ点」とを結んだ線分を特定可能である。そして、次のような幾何学的な手順の一例によって、情報ピットの位置を一義的に決定し、その決定された位置から独自情報を読み出すことが可能である。【００６４】
（ｉ）基準線（「ａ点」と「ｂ点」とを結んだ線分）を特定する。【００６５】
（ｉｉ）表示パターン（ピットアート）の最も左側に位置し、且つ、最も下側に位置する「ｃ点」を特定する。【００６６】
（ｉｉｉ）特定された基準線に平行であって、且つ、特定された「ｃ点」を通る直線を「ｘ軸」とする。【００６７】
（ｉｖ）特定された基準線に垂直であって、且つ、特定された「ｃ点」を通る直線を「ｙ軸」とする。【００６８】
（ｖ）上述した手順で規定された「ｘ軸」及び「ｙ軸」の座標の上で、例えば「ｘ＝４０（ｍｍ）」で、且つ、「ｙ＝２０（ｍｍ）」の位置を決定する。【００６９】
（ｖｉ）決定された位置から独自情報を読み出す。【００７０】
特に、この基準線（「ａ点」と「ｂ点」とを結んだ線分）は、円盤の形状をした光ディスクのセンターホール１０の中心を通るようにしてもよい。その結果、例えば情報記録再生装置等による、光ディスク１００のローディングの動作の最中に、簡便且つ迅速に基準線を特定することが可能である。また、この基準線は、表示パターンの最も内周に位置する点と、最も外周に位置する点とを結んだ線分であるようにしてもよい。或いは、この基準線は、表示パターンの内周に位置する一の点と、内周に位置する他の点とを結んだ線分であるようにしてもよい。更に、或いは、この基準線は、表示パターンの最も左側に位置する一の点と、最も右側に位置する他の点とを結んだ線分であるようにしてもよい。【００７１】
（１−４）第２変形例
次に図８から図１０を参照して、表示パターン（ピットアート）を表示可能にさせる第１ピットの構成の第２変形例について説明する。ここに、図８は、本発明の情報記録媒体の第１実施例の第２変形例に係るピットアートを表示可能な光ディスクの可視光（白色光）に対する概略平面図（図８（ａ））、及び、赤外光（所定の波長「λ」を保持する光）に対する概略平面図（図８（ｂ））である。【００７２】
第１ピットの第２変形例については、第１ピットは、２種類の物理構造をしたピットによって構成されるようにしてもよい。即ち、図８に示されるように、第１ピットは、（ｉ）例えば赤外光の波長「λ」の「１／４倍」の深さを保持する種類、及び（ｉｉ）例えば赤外光の波長「λ」の「１／２倍」の深さを保持する種類によって構成されるようにしてもよい。【００７３】
その結果、図８（ａ）に示されるように、可視光（白色光）に対しては、一の表示パターン（ピットアート）を表示可能である。他方、図８（ｂ）に示されるように、例えば所定の波長「λ」を保持する赤外光に対しては、「１／４λ」の深さの第１ピットと、「１／２λ」の深さの第１ピットとにおいて、明るさの差異（コントラスト：Contrast）に違いが生じるので、他の表示パターン（ピットアート）を表示可能である。【００７４】
ここで、図９、及び図１０を参照して、第２変形例に係る光学的な原理を、第２変形例の具体例と共に説明する。ここに、図９は、本発明の情報記録媒体の第１実施例の第２変形例に係る２種類の第１ピットの光学的な原理を図式的に示した模式図（図９（ａ）及び図９（ｂ））である。図１０は、本発明の情報記録媒体の第１実施例の第２変形例に係るピットアートの可視光（白色光）に対する模式図（図１０（ａ））、及び、赤外光（所定の波長「λ」を保持する光）に対する模式図（図１０（ｂ））である。【００７５】
図９（ａ）に示されるように、赤外光（波長「λ」）が、波長「λ」の「１／４倍」の深さを保持する第１ピットに入射された場合、（ｉ）第１ピット（「１／４λ」の深さ）を固定端反射した反射光と、（ｉｉ）第１ピットが形成されていない領域を固定端反射した反射光との位相は逆になる。従って、２つの反射光とは互いに打ち消し合い、第１ピット（「１／４λ」の深さ）が形成されている領域と、形成されていない領域との明るさの差異（コントラスト：Contrast）が最小となり、第１ピット（「１／４λ」の深さ）によって形成された表示パターンを視認することは殆ど又は完全になくなる。【００７６】
他方、図９（ｂ）に示されるように、赤外光（波長「λ」）が、波長「λ」の「１／２倍」の深さを保持する第１ピットに入射された場合、第１ピット（「１／２λ」の深さ）を固定端反射した反射光と、第１ピットが形成されていない領域を固定端反射した反射光との位相は同じになる。即ち、第１ピット（「１／２λ」の深さ）を固定端反射した反射光は、鏡（ミラー）を反射した光と概ね同じになる。従って、第１ピット（「１／２λ」の深さ）が形成されている領域と、形成されていない領域との明るさの差異（コントラスト：Contrast）が最大となり、第１ピット（「１／２λ」の深さ）によって形成された表示パターンを表示可能である。【００７７】
以上の結果、図１０（ａ）に示されるように、可視光（白色光）に対しては、「１／４λ」の深さの第１ピットと、「１／２λ」の深さの第１ピットとで、明るさの差異は、は生じないので、一の表示パターン（ピットアート）を表示可能である。即ち、「ウインクをしていない顔」や、「太いバーコード」を表示可能である。他方、図１０（ｂ）に示されるように、例えば所定の波長「λ」を保持する赤外光に対しては、「１／４λ」の深さの第１ピットと、「１／２λ」の深さの第１ピットとにおいて、明るさの差異に違いが生じるので、他の表示パターン（ピットアート）を表示可能である。即ち、「ウインクをした顔」や、「細いバーコード」を表示可能である。【００７８】
（１−５）第３変形例
次に図１１を参照して、表示パターン（ピットアート）を表示可能にさせる第１ピットの構成の第３変形例について説明する。図１１は、本発明の情報記録媒体の第１実施例の第３変形例に係るピットアートの可視光（白色光）に対する模式図（図１１（ａ））、及び、赤外光（所定の波長「λ」を保持する光）に対する模式図（図１１（ｂ））である。【００７９】
第１ピットの第３変形例については、第１ピットは、２種類の物理構造をしたピットによって構成されるようにしてもよい。即ち、図１１に示されるように、第１ピットは、（ｉ）相対的に短い種類、及び（ｉｉ）相対的に長い種類によって構成されるようにしてもよい。【００８０】
その結果、図１１（ａ）に示されるように、可視光（白色光）に対しては、相対的に短い第１ピットと、相対的に長い第１ピットとで、明るさの差異は生じないので、一の表示パターン（ピットアート）を表示可能である。即ち、「ウインクをしていない顔」や、「太いバーコード」を表示可能である。他方、図１１（ｂ）に示されるように、例えば所定の波長「λ」を保持する赤外光に対しては、相対的に短い第１ピットと、相対的に長い第１ピットとで、明るさの差異に違いが生じるので、他の表示パターン（ピットアート）を表示可能である。即ち、「ウインクをした顔」や、「細いバーコード」を表示可能である。【００８１】
（２）情報記録媒体の第２実施例
次に本発明の情報記録媒体に係る第２実施例について説明を進める。【００８２】
（２−１）詳細構成
図１２を参照して、本発明の情報記録媒体の第２実施例に係る光ディスクの詳細構成の概略について説明する。ここに、図１２は、本発明の情報記録媒体の第２実施例に係るピットアートを表示可能な光ディスクの概略断面図である。図１３は、本発明の情報記録媒体の第２実施例を構成する波長選択層における、波長をパラメータとした、光を反射する割合である光反射率を示したグラフである。尚、図１３中の縦軸は、光反射率を示し、横軸は、波長を示す。また、第２実施例において、第１実施例と同様な構成については、適宜、説明を省略する。【００８３】
第２実施例においては、第１記録層１０１は、信号面の奥側に、即ち、第１及び第２レーザ光が照射される方向から見て奥側に、全反射膜を備えて構成されている。第２記録層１０２は、信号面の奥側に、即ち、第１及び第２レーザ光が照射される方向から見て奥側に、波長選択膜や、半透過反射膜や、波長選択性を保持する半透過反射膜を備えて構成されている。例えば、この波長選択性を保持する半透過反射膜は、一の波長のレーザ光に対する反射率は相対的に高く、他の波長のレーザ光に対する反射率は相対的に低いという特性である、所謂、波長選択性を保持している。詳細には、図１３中の「Ｂ点」に示すように、波長選択層における、波長が相対的に小さい第２レーザ光に対する光反射率は、相対的に大きくなるように設定されている。従って、波長選択層が、第２レーザ光を反射するため、第２レーザ光は、第１記録層には到達することができない。【００８４】
この結果、第２レーザ光と同じ信号面から照射された第１レーザ光によって、表示パターン（ピットアート）を表示可能である。また、ブルーレイ等の第２レーザ光が、第１層に記録照射された場合、第２レーザ光が、波長選択層を通過することは、殆ど又は完全にないので、第１記録層への影響、即ち層間干渉をより軽減することが可能である。【００８５】
（３）情報記録媒体の第３実施例
次に本発明の情報記録媒体に係る第３実施例について説明を進める。【００８６】
（３−１）詳細構成
図１４を参照して、本発明の情報記録媒体の第３実施例に係る光ディスクの詳細構成の概略について説明する。ここに、図１４は、本発明の情報記録媒体の第３実施例に係るピットアートを表示可能な光ディスクの概略断面図である。また、第３実施例において、第１実施例と同様な構成については、適宜、説明を省略する。【００８７】
第３実施例においては、第１記録層１０１は、信号面の奥側に、即ち、第１レーザ光が照射される方向から見て奥側に、全反射膜を備えて構成されている。他方、第２記録層１０２は、２つの信号面のうち、（ｉ）第２レーザ光が照射される方向から見て手前側の信号面の奥側において、半透過反射膜を備えて構成され、（ｉｉ）第２レーザ光が照射される方向から見て奥側の信号面の奥側において、全反射膜を備えて構成されている。【００８８】
この結果、独自情報を保持しつつ表示パターン（ピットアート）を表示可能な光ディスクの第２記録層において、例えばＤＶＤビデオコンテンツ等の大容量且つ高品質な第２情報を記録可能である。【００８９】
（４）情報記録媒体の第４実施例
次に本発明の情報記録媒体に係る第４実施例について説明を進める。【００９０】
（４−１）詳細構成
図１５を参照して、本発明の情報記録媒体の第４実施例に係る光ディスクの詳細構成の概略について説明する。ここに、図１５は、本発明の情報記録媒体の第４実施例に係るピットアートを表示可能な光ディスクの概略断面図である。また、第４実施例において、第２実施例と同様な構成については、適宜、説明を省略する。【００９１】
第４実施例においては、第１記録層１０１は、信号面の奥側に、即ち、第１及び第２レーザ光が照射される方向から見て奥側に、全反射膜を備えて構成されている。他方、第２記録層１０２は、２つの信号面のうち、（ｉ）第２レーザ光が照射される方向から見て手前側の信号面の奥側において、波長選択膜や、半透過反射膜や、波長選択性を保持する半透過反射膜を備えて構成され、（ｉｉ）第２レーザ光が照射される方向から見て奥側の信号面の奥側において、波長選択膜や、半透過反射膜や、波長選択性を保持する半透過反射膜を備えて構成されている。【００９２】
この結果、（ｉ）第２レーザ光と同じ信号面から照射された第１レーザ光によって、表示パターン（ピットアート）を表示可能であると共に、（ｉｉ）光ディスクの第２記録層において、例えばＤＶＤビデオコンテンツ等の大容量且つ高品質な第２情報を記録可能である。【００９３】
（５）情報記録媒体の第５実施例
次に本発明の情報記録媒体に係る第５実施例について説明を進める。【００９４】
（５−１）詳細構成
図１６を参照して、本発明の情報記録媒体の第５実施例に係る光ディスクの詳細構成の概略について説明する。ここに、図１６は、本発明の情報記録媒体の第５実施例に係るピットアートを表示可能な光ディスクの概略断面図である。また、第５実施例において、第１実施例と同様な構成については、適宜、説明を省略する。【００９５】
第５実施例においては、（ｉ）ダミー基板を、例えば第２記録層１０２の側に備えて構成され、（ｉｉ）第２記録層１０２は、複数の記録層によって構成されているようにしてもよい。特に、第５実施例においては、第１記録層１０１は、信号面の奥側に、即ち、第１及び第２レーザ光が照射される方向から見て奥側に、全反射膜を備えて構成されている。他方、第２記録層１０２は、２つの信号面のうち、（ｉ）第２レーザ光が照射される方向から見て手前側の信号面の奥側において、波長選択膜や、半透過反射膜や、波長選択性を保持する半透過反射膜を備えて構成され、同様にして、（ｉｉ）第２レーザ光が照射される方向から見て奥側の信号面の奥側において、波長選択膜や、半透過反射膜や、波長選択性を保持する半透過反射膜を備えて構成されている。【００９６】
この結果、（ｉ）第２レーザ光と同じ信号面から照射されると共に、ダミー基板の特性によって決定される各種の光学特性を保持する第１レーザ光によって、表示パターン（ピットアート）をより適切に表示可能である。加えて、光ディスクの第２記録層において、例えばＤＶＤビデオコンテンツ等の大容量且つ高品質な第２情報を記録可能である。【００９７】
（６）情報記録媒体の第６実施例
次に本発明の情報記録媒体に係る第６実施例について説明を進める。【００９８】
（６−１）詳細構成
図１７を参照して、本発明の情報記録媒体の第６実施例に係る光ディスクの詳細構成の概略について説明する。ここに、図１７は、本発明の情報記録媒体の第６実施例に係るピットアートを表示可能な光ディスクの概略断面図である。また、第６実施例において、第１実施例と同様な構成については、適宜、説明を省略する。【００９９】
第６実施例においては、第２記録層１０２は、複数の記録層の貼り合わせによって構成されているようにしてもよい。特に、第６実施例においては、第１記録層１０１は、信号面の奥側に、即ち、第１及び第２レーザ光が照射される方向から見て奥側に、全反射膜を備えて構成されている。他方、第２記録層１０２は、２つの信号面のうち、（ｉ）第２レーザ光が照射される方向から見て手前側の信号面の奥側において、波長選択膜や、半透過反射膜や、波長選択性を保持する半透過反射膜を備えて構成される。同様にして、（ｉｉ）第２レーザ光が照射される方向から見て奥側の信号面の奥側において、波長選択膜や、半透過反射膜や、又は、波長選択性を保持する半透過反射膜を備えて構成されている。【０１００】
この結果、（ｉ）第２レーザ光と同じ信号面から照射されると共に、貼り合わされた第２記録層の特性によって決定される各種の光学特性を保持する第１レーザ光によって、表示パターン（ピットアート）をより適切に表示可能である。加えて、光ディスクの第２記録層において、例えばＤＶＤビデオコンテンツ等の大容量且つ高品質な第２情報を記録可能である。【０１０１】
また、上述の実施例では、第２記録層の一具体例として、例えばブルーレイディスク（Blu-ray Disk ROM：ＢＤ−ＲＯＭ）等の再生専用の記録層を適用したが、例えばＢＤ−Ｒ等の追記型の記録層を適用してもよいし、例えばＢＤ−ＲＷ等の書換型の記録層を適用するようにしてもよい。【０１０２】
また、上述の実施例では、情報記録媒体の一例として光ディスク１００について説明したが、本発明は、光ディスクに限られるものではなく、例えばＤＶＤや、ＨＤ−ＤＶＤ（High Density DVD）等の他の高密度記録或いは高転送レート対応の各種記録媒体にも適用可能である。【０１０３】
本発明は、上述した実施例に限られるものではなく、請求の範囲及び明細書全体から読み取れる発明の要旨或いは思想に反しない範囲で適宜変更可能であり、そのような変更を伴う情報記録媒体もまた本発明の技術的範囲に含まれるものである。
【産業上の利用可能性】
【０１０４】
本発明に係る情報記録媒体は、例えば、２層型の光ディスク等の多層型の情報記録媒体に利用可能である。
【図１】
0004502402.tif 000002
【図２】
0004502402.tif 000003
【図３】
0004502402.tif 000004
【図４】
0004502402.tif 000005
【図５】
0004502402.tif 000006
【図６】
0004502402.tif 000007
【図７】
0004502402.tif 000008
【図８】
0004502402.tif 000009
【図９】
0004502402.tif 000010
【図１０】
0004502402.tif 000011
【図１１】
0004502402.tif 000012
【図１２】
0004502402.tif 000013
【図１３】
0004502402.tif 000014
【図１４】
0004502402.tif 000015
【図１５】
0004502402.tif 000016
【図１６】
0004502402.tif 000017
【図１７】
0004502402.tif 000018